(57)【特許請求の範囲】
【請求項１】
排水トラップに設けられるヘアキャッチャーであって、
底面に水抜き孔が形成され、流入する水が滞留可能なボウル部と、
前記ボウル部から溢れた水を排水管に流出させるオーバーフロー流出部と、
前記ボウル部より上部に形成され、前記排水トラップに係合可能な係合部と、
を備え、
前記係合部と前記ボウル部との間が前記オーバーフロー流出部となっており、
前記水抜き孔は、前記底面を貫通する円形状の貫通孔であり、
前記オーバーフロー流出部は、前記ボウル部と前記係合部とを連結し水平面に対して傾斜した複数の縦リブと、前記複数の縦リブ同士を水平方向に連結する横リブと、により形成された格子状の開口部を有し、
前記開口部の開口面積は、前記水抜き孔の開口面積よりも広いことを特徴とするヘアキャッチャー。
【請求項２】
前記オーバーフロー流出部の下部の水平面に対する傾斜角度は、前記オーバーフロー流出部の上部の水平面に対する傾斜角度よりも大きいことを特徴とする請求項１記載のヘアキャッチャー。
【請求項３】
前記ボウル部は、すり鉢状を呈し、
前記ボウル部の下部の水平面に対する傾斜角度は、前記ボウル部の上部の水平面に対する傾斜角度よりも小さいことを特徴とする請求項１または２に記載のヘアキャッチャー。
【請求項４】
前記縦リブは、前記ボウル部の内面まで延在し、
前記ボウル部は、前記縦リブにより形成された凹凸を内面に有することを特徴とする請求項１〜３のいずれか１つに記載のヘアキャッチャー。
【発明の詳細な説明】
【技術分野】
【０００１】
本発明の態様は、一般的に、ヘアキャッチャーに関する。
【背景技術】
【０００２】
一般的に、例えば浴室の洗い場や美容室などのシャンプー台などに設置される排水トラップは、トラップ本体と封水筒とにより封水を形成し、排水トラップの下流側の臭気や害虫類などが室内に流入することを防止している。また、水が排水トラップ内に流入する開口には、毛髪などのごみ類を捕集するために、網目状のヘアキャッチャーが着脱可能に取り付けられている。このように、開口に取り付けられたヘアキャッチャーは、排水トラップ内に毛髪などのごみ類が流入することを抑えることができる。
【０００３】
しかし、ヘアキャッチャーにより捕集された毛髪などは、水の流れで網目から押し出され、網に引っ掛かる場合がある。また、毛髪や汚れなどは、網目に蓄積していき、隣の網目から押し出された毛髪と固着する場合がある。すると、ヘアキャッチャーにより捕集された毛髪などを除去することが大きな手間となるという問題がある。また、網目が毛髪や汚れなどで詰まり、排水能力が低下するという問題がある。
【０００４】
これに対して、開孔を有する底面と、底面より上方へと立設される周壁と、を備え、周壁が垂直方向に下から壁部領域と開孔領域とを有するヘアキャッチャーがある（特許文献１）。また、すり鉢の形状の底部に、周方向に多数の孔を穿設されてなる底メッシュ部と、底メッシュ部の上方に孔が形成されていない非メッシュ部と、非メッシュ部の上方に、周方向に多数の孔を穿設してなる中間メッシュ部とを備えるヘアキャッチャーがある（特許文献２）。
【０００５】
しかし、特許文献１に記載されたヘアキャッチャーでは、底面開孔部の孔径は、開孔領域における開孔部の孔径と略同等である。また、特許文献２に記載されたヘアキャッチャーでは、底メッシュ部に設けられた孔の孔径は、中間メッシュ部に設けられた孔の孔径と略同等である。そのため、特許文献１および特許文献２に記載されたヘアキャッチャーでは、ヘアキャッチャーに溜まった所定量以上の水を確実に排出するという点においては、改善の余地がある。
【０００６】
また、水抜き孔を有する保水部と、上部排水流出部と、排水が渦を巻くように流入させる排水導入部と、を備えたヘアキャッチャーがある（特許文献３）。しかし、特許文献３に記載されたヘアキャッチャーでは、保水部に入りきらない排水は、保水部の上部から延出した上部排水流出部から流出する一方で、保水部の水抜き孔と、上部排水流出部の孔と、は略同形状の円形孔である。
【先行技術文献】
【特許文献】
【０００７】
【特許文献１】特開２００９−１５０１１１号公報
【特許文献２】特開２０１１−２３１５０７号公報
【特許文献３】特開２００９−１６７７８３号公報
【発明の概要】
【発明が解決しようとする課題】
【０００８】
本発明は、かかる課題の認識に基づいてなされたものであり、捕集した毛髪などを容易に除去することができる、あるいは溜まった水を確実に排出することができるヘアキャッチャーを提供することを目的とする。
【課題を解決するための手段】
【０００９】
第１の発明は、排水トラップに設けられるヘアキャッチャーであって、底面に水抜き孔が形成され、流入する水が滞留可能なボウル部と、前記ボウル部から溢れた水を排水管に流出させるオーバーフロー流出部と、前記ボウル部より上部に形成され、前記排水トラップに係合可能な係合部と、を備え、前記係合部と前記ボウル部との間が前記オーバーフロー流出部となっており、前記水抜き孔は、前記底面を貫通する円形状の貫通孔であり、前記オーバーフロー流出部は、前記ボウル部と前記係合部とを連結し水平面に対して傾斜した複数の縦リブと、前記複数の縦リブ同士を水平方向に連結する横リブと、により形成された格子状の開口部を有し、前記開口部の開口面積は、前記水抜き孔の開口面積よりも広いことを特徴とするヘアキャッチャーである。
【００１０】
このヘアキャッチャーによれば、毛髪等が水抜き孔やオーバーフロー流出部に引っ掛かったり、絡みついたりすることを抑えることができる。そのため、ヘアキャッチャーの手入れがより簡単となる。また、オーバーフロー流出部の格子状の開口部の開口面積が水抜き孔の開口面積よりも広いため、水がボウル部に溜まりやすく、また、ボウル部から溢れた水を開口部からより確実にオーバーフローさせることができる。これにより、水がヘアキャッチャーから溢れることを抑えることができる。
【００１１】
また、オーバーフロー流出部が水平面に対して傾斜しているため、流入する水は、勢いをもってオーバーフロー流出部を通過する。そのため、毛髪等がオーバーフロー流出部に絡みつくことを抑えることができる。また、石鹸かすなどの汚れがオーバーフロー流出部に付着あるいは固着することを抑えることができる。これにより、オーバーフロー流出部に付着した汚れによって毛髪が捕捉されることを抑え、ボウル部から溢れた水を開口部からより一層確実にオーバーフローさせることができる。そのため、水がヘアキャッチャーから溢れることをより確実に抑えることができる。
【００１２】
また、第２の発明は、第１の発明において、前記オーバーフロー流出部の下部の水平面に対する傾斜角度は、前記オーバーフロー流出部の上部の水平面に対する傾斜角度よりも大きいことを特徴とするヘアキャッチャーである。
【００１３】
このヘアキャッチャーによれば、流入する水は、排水トラップの表面およびオーバーフロー流出部の傾斜に沿って流れる。そのため、水の流れの勢いにより、ボウル部に溜まった毛髪等がオーバーフロー流出部に戻ることを抑えることができる。これによれば、毛髪等がオーバーフロー流出部の開口部に引っ掛かったり、絡みついたりすることを抑えることができる。また、オーバーフロー流出部の開口部から毛髪等が流出することを抑えることができる。
【００１４】
また、第３の発明は、第１または第２の発明において、前記ボウル部は、すり鉢状を呈し、前記ボウル部の下部の水平面に対する傾斜角度は、前記ボウル部の上部の水平面に対する傾斜角度よりも小さいことを特徴とするヘアキャッチャーである。
【００１５】
このヘアキャッチャーによれば、毛髪等がボウル部において１箇所に集まりやすい。また、ボウル部に溜まる水に毛髪等を浮かせてひとまとまりにすることができる。これにより、毛髪等がオーバーフロー流出部の格子状の開口部に引っ掛かったり、絡みついたりすることをより一層抑えることができる。また、オーバーフロー流出部の開口部から毛髪等が流出することを抑えることができる。
【００１６】
また、第４の発明は、第１〜第３のいずれか１つの発明において、前記縦リブは、前記ボウル部の内面まで延在し、前記ボウル部は、前記縦リブにより形成された凹凸を内面に有することを特徴とするヘアキャッチャーである。
【００１７】
このヘアキャッチャーによれば、ボウル部の内面と毛髪等との接触面積を抑えることができる。そのため、ヘアキャッチャーを反転させる、あるいはひっくり返すことで捕集した毛髪等を容易に除去することができる。
【発明の効果】
【００１８】
本発明の態様によれば、捕集した毛髪などを容易に除去することができる、あるいは溜まった水を確実に排出することができるヘアキャッチャーが提供される。
【図面の簡単な説明】
【００１９】
【図１】本発明の実施の形態にかかるヘアキャッチャーが設けられた排水トラップを表す模式的断面図である。
【図２】本実施形態にかかるヘアキャッチャーを表す模式的斜視図である。
【図３】本実施形態にかかるヘアキャッチャーに捕集された毛髪等の状態を説明する模式的断面図である。
【図４】ボウル部の内面における毛髪等の状態を説明する模式的断面図である。
【図５】本実施形態のヘアキャッチャーと封水筒とが係合した状態を表す模式的断面図である。
【図６】本実施形態のヘアキャッチャーを封水筒から取り外した状態を表す模式的斜視図である。
【図７】本実施形態の取っ手の部分の水の流れを説明する模式的斜視図である。
【図８】本実施形態の取っ手を拡大した模式的斜視図である。
【図９】本実施形態の変形例にかかる取っ手を拡大した模式的斜視図である。
【図１０】本発明者が実施した実験の結果の一例を例示する写真図である。
【図１１】本発明者が実施した実験の結果の一例を例示する写真図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、本発明の実施の形態にかかるヘアキャッチャーが設けられた排水トラップを表す模式的断面図である。  
また、図２は、本実施形態にかかるヘアキャッチャーを表す模式的斜視図である。
【００２１】
本実施形態にかかるヘアキャッチャー２００は、例えば浴室の洗い場や美容室などのシャンプー台などに設置された排水トラップに設けられる。本実施形態では、ヘアキャッチャー２００が浴室の洗い場に設置された排水トラップに設けられた場合を例に挙げて説明する。
【００２２】
図１に表したように、本実施形態にかかるヘアキャッチャー２００は、排水トラップ１００に設けられている。排水トラップ１００は、排水トラップ本体１１０と、封水筒１２０と、を備え、封水Ｗを形成することができる。これにより、排水トラップ１００は、排水トラップ１００の下流側の臭気や害虫類などが浴室内に流入することを防止している。
【００２３】
ヘアキャッチャー２００は、排水トラップ１００の封水筒１２０に着脱可能に取り付けられ、浴室の洗い場から流入する毛髪や汚れなどのごみ類（以下、説明の便宜上「毛髪等」と称する）を捕集することができる。ヘアキャッチャー２００は、ボウル部２１０と、オーバーフロー流出部２２０と、係合部２３０と、を備える。
【００２４】
ボウル部２１０は、すり鉢状を呈し、流入する水が滞留可能とされている。すなわち、ボウル部２１０は、浴室の洗い場から流入する水を溜めることができる。図１に表したように、ボウル部２１０の側面は、水平面に対して傾斜している。ボウル部２１０の下部の側面の水平面に対する傾斜角度は、ボウル部２１０の上部の側面の水平面に対する傾斜角度よりも小さい。言い換えれば、ボウル部２１０の上部から下部へ向かうにつれて、ボウル部２１０の側面の水平面に対する傾斜角度は、漸減する。
【００２５】
また、図２に表したように、ボウル部２１０は、底面部２１１に形成された水抜き孔２１３を有する。水抜き孔２１３は、底面部２１１を貫通する円形状の貫通孔を有する。底面部２１１には、複数の水抜き孔２１３が設けられている。水抜き孔２１３の数は、特に限定されるわけではない。
【００２６】
オーバーフロー流出部２２０は、ボウル部２１０の上部から上方へ延出し、ボウル部２１０から溢れた水を排水管３１０（図１参照）に流出させる。なお、本願明細書において「水」という場合には、冷水のみならず、加熱されたお湯も含むものとする。
【００２７】
図１に表したように、オーバーフロー流出部２２０の側面は、水平面に対して傾斜している。オーバーフロー流出部２２０の側面の水平面に対する傾斜角度は、例えば約１５〜９０°程度である。オーバーフロー流出部２２０の下部の側面の水平面に対する傾斜角度は、オーバーフロー流出部２２０の上部の側面の水平面に対する傾斜角度よりも大きい。言い換えれば、オーバーフロー流出部２２０の上部から下部へ向かうにつれて、オーバーフロー流出部２２０の側面の水平面に対する傾斜角度は、漸増する。
【００２８】
係合部２３０は、オーバーフロー流出部２２０の上部に形成され、排水トラップ１００の封水筒１２０と係合可能である。これについては、後に詳述する。
【００２９】
図２に表したように、オーバーフロー流出部２２０は、縦リブ２２１と、横リブ２２３と、を有する。縦リブ２２１は、ボウル部２１０と係合部２３０とを連結している。また、オーバーフロー流出部２２０には、複数の縦リブ２２１が設けられている。横リブ２２３は、複数の縦リブ２２１同士を水平方向に連結している。複数の縦リブ２２１同士は、互いに離隔して設けられている。また、複数の横リブ２２３が設けられた場合には、その複数の横リブ２２３同士は、互いに離隔して設けられている。そのため、図２に表したように、オーバーフロー流出部２２０は、格子状の開口部２２５を有する。開口部２２５の開口面積は、水抜き孔２１３の開口面積よりも広い。
【００３０】
図３は、本実施形態にかかるヘアキャッチャーに捕集された毛髪等の状態を説明する模式的断面図である。  
また、図４は、ボウル部の内面における毛髪等の状態を説明する模式的断面図である。  なお、図３（ａ）は、水が流入しているときの毛髪等の状態を説明する模式的断面図である。図３（ｂ）は、水の流入が少なくなったときの毛髪等の状態を説明する模式的断面図である。
【００３１】
図３（ａ）に表したように、本実施形態にかかるヘアキャッチャー２００は、浴室の洗い場から流入する毛髪等３５０を捕集することができる。ここで、図３に表した矢印Ａ１のように水抜き孔２１３から排出される水の量が、流入する水の量よりも少ない場合には、ボウル部２１０に水が溜まる。すると、図３（ａ）に表したように、捕集された毛髪等３５０は、ボウル部２１０に溜まった水に浮くことができる。
【００３２】
また、水抜き孔２１３の開口面積が開口部２２５の開口面積よりも狭いため、水がボウル部２１０に溜まりやすい。一方で、開口部２２５の開口面積が水抜き孔２１３の開口面積よりも広いため、図３（ａ）に表した矢印Ａ７および矢印Ａ８のように、ボウル部２１０から溢れた水を開口部２２５からより確実にオーバーフローさせることができる。これにより、水が洗い場へ溢れることを抑えることができる。これによれば、毛髪等３５０が水抜き孔２１３に引っ掛かったり、絡みついたりすることを抑えることができる。また、毛髪等３５０が水抜き孔２１３において固着することを抑えることができるため、水抜き孔２１３が毛髪等３５０により塞がれることを抑えることができる。
【００３３】
また、図１および図２に関して前述したように、オーバーフロー流出部２２０の側面は、水平面に対して傾斜している。そのため、図１に表した矢印Ａ３および矢印Ａ４、ならびに図３に表した矢印Ａ５および矢印Ａ６のように、流入する水は、勢いをもってオーバーフロー流出部２２０を通過する。そのため、毛髪等３５０がオーバーフロー流出部２２０に絡みつくことを抑えることができる。また、石鹸かすなどの汚れがオーバーフロー流出部２２０に付着あるいは固着することを抑えることができる。これにより、オーバーフロー流出部２２０に付着した汚れによって毛髪が捕捉されることを抑え、ボウル部２１０から溢れた水を開口部２２５からより一層確実にオーバーフローさせることができる。そのため、水が洗い場へ溢れることをより確実に抑えることができる。
【００３４】
また、図２に表したように、縦リブ２２１の内面（流入する水が流れる側の面）は、横リブ２２３の内面（流入する水が流れる側の面）よりも上方あるいは内側に位置する。言い換えれば、横リブ２２３は、縦リブ２２１よりも後退して設けられている。そのため、流入する水の流れが横リブ２２３により阻害されることを抑えることができる。これにより、毛髪等３５０がオーバーフロー流出部２２０に絡みついたり、オーバーフロー流出部２２０の開口部２２５から毛髪等３５０が流出することを抑えることができる。
【００３５】
また、図１および図２に関して前述したように、オーバーフロー流出部２２０の下部の側面の水平面に対する傾斜角度は、オーバーフロー流出部２２０の上部の側面の水平面に対する傾斜角度よりも大きい。そのため、図１に表した矢印Ａ３および矢印Ａ４、ならびに図３に表した矢印Ａ５および矢印Ａ６のように、流入する水は、排水トラップ１００の封水筒１２０の表面およびオーバーフロー流出部２２０の傾斜に沿って流れる。そのため、水の流れの勢いにより、ボウル部２１０に溜まった毛髪等３５０がオーバーフロー流出部２２０に戻ることを抑えることができる。これによれば、毛髪等３５０がオーバーフロー流出部２２０の開口部２２５に引っ掛かったり、絡みついたりすることを抑えることができる。また、オーバーフロー流出部２２０の開口部２２５から毛髪等３５０が流出することを抑えることができる。
【００３６】
また、勢いをもって流入する水の流れにより、毛髪等３５０は、ボウル部２１０においてまとまる。つまり、毛髪がボウル部２１０でまとまり、汚れと一緒になる。さらに、図１および図２に関して前述したように、ボウル部２１０は、すり鉢状を呈する。また、図２に表したように、水抜き孔２１３は、底面部２１１の中央部には形成されていない。そして、ボウル部２１０の下部の側面の水平面に対する傾斜角度は、ボウル部２１０の上部の側面の水平面に対する傾斜角度よりも小さい。そのため、毛髪等３５０がボウル部２１０において１箇所に集まりやすい。また、ボウル部２１０に溜まる水に毛髪等３５０を浮かせてひとまとまりにすることができる。これにより、毛髪等３５０がオーバーフロー流出部２２０の格子状の開口部２２５に引っ掛かったり、絡みついたりすることをより一層抑えることができる。また、オーバーフロー流出部２２０の開口部２２５から毛髪等３５０が流出することを抑えることができる。
【００３７】
続いて、流入する水の量が水抜き孔２１３から排出される水の量よりも少なくなると、図３（ｂ）に表した矢印Ａ１１のように、ボウル部２１０に溜まっていた水は、水抜き孔２１３から排出される。すると、図３（ｂ）に表したように、捕集された毛髪等３５０は、ボウル部２１０に乗った状態となる。
【００３８】
ここで、図４（ｂ）に表したように、ボウル部２１０の内面にリブなどが設けられず凹凸が形成されていない場合には、ボウル部２１０の内面と毛髪等３５０との接触面積は、より広い。そのため、まとまった毛髪等３５０は、ボウル部２１０の内面に付着しやすい。すると、排水トラップ１００から外したヘアキャッチャー２００を反転させても、捕集した毛髪等３５０を容易に除去できない場合がある。
【００３９】
これに対して、図１および図２に表したように、本実施形態のオーバーフロー流出部２２０の縦リブ２２１は、ボウル部２１０の内面まで延在し、ボウル部２１０の内面に凹凸を形成している。そのため、図４（ａ）に表したように、毛髪等３５０は、ボウル部２１０の内面まで延在した縦リブ２２１に乗った状態となる。これによれば、ボウル部２１０の内面と毛髪等３５０との接触面積を抑えることができ、ヘアキャッチャー２００を反転させる、あるいはひっくり返すことで捕集した毛髪等３５０を容易に除去することができる。
【００４０】
図５は、本実施形態のヘアキャッチャーと封水筒とが係合した状態を表す模式的断面図である。  
また、図６は、本実施形態のヘアキャッチャーを封水筒から取り外した状態を表す模式的斜視図である。
【００４１】
本実施形態にかかるヘアキャッチャー２００が排水トラップ１００の封水筒１２０に取り付けられた状態では、図５に表した領域Ｂ１および領域Ｂ２のように、ヘアキャッチャー２００の係合部２３０と、排水トラップ１００の封水筒１２０と、が係合している。そのため、ヘアキャッチャー２００を排水トラップ１００から取り外す場合には、図６に表したように、ヘアキャッチャー２００の上端部に設けられた取っ手２４０を利用し、ヘアキャッチャー２００を傾けて斜め上方へスライドさせることで取り外すことができる。
【００４２】
ここで、図５に表したように、毛髪等３５０が比較的長時間にわたって堆積すると、水抜き孔２１３が毛髪等３５０により塞がることがある。すると、毛髪等３５０を除去するときに、水がボウル部２１０に溜まっていることがある。このとき、本実施形態の係合部２３０が設けられていない場合には、ヘアキャッチャー２００をわざわざ傾けてボウル部２１０に溜まった水を排出した後に毛髪等３５０を除去する必要がある。そのため、使用者などは、不快感を感ずる場合がある。
【００４３】
これに対して、本実施形態によれば、水がボウル部２１０に溜まっていても、排水トラップ１００からヘアキャッチャー２００を取り外すときに傾けてスライドさせるため、ボウル部２１０に溜まった水が自然に排出される。そのため、使用者は、ヘアキャッチャー２００をわざわざ傾けてボウル部２１０に溜まった水を排出する必要はなく、不快感を感ずることなく毛髪等３５０を除去することができる。
【００４４】
図７は、本実施形態の取っ手の部分の水の流れを説明する模式的斜視図である。  
また、図８は、本実施形態の取っ手を拡大した模式的斜視図である。  
また、図９は、本実施形態の変形例にかかる取っ手を拡大した模式的斜視図である。
【００４５】
本実施形態の取っ手２４０は、ヘアキャッチャー２００の上端部に設けられている。また、取っ手２４０の上面２４５は、封水筒１２０の上面１２１に略沿うように形成されている。そのため、図７に表した矢印Ａ１２のように、取っ手２４０の上面２４５を流れる水の流れが取っ手２４０により阻害されることを抑えることができる。また、取っ手２４０の上面２４５を流れる水の流れに対する取っ手２４０の幅Ｄ１は、比較的長い。そのため、毛髪等３５０が取っ手２４０に引っ掛かったり、絡みついたりすることを抑えることができる。
【００４６】
図８に表したように、取っ手２４０の側面２４１には、凹部が形成されている。そのため、使用者などは、取っ手２４０の側面２４１に形成された凹部を掴むことで、ヘアキャッチャー２００を排水トラップ１００から容易に取り外すことができる。  
また、図９に表した変形例の取っ手２４０ａのように、取っ手２４０ａの上面２４５の下方には、取っ手２４０の一方の側面から他方の側面へ貫通する空洞部２４３が形成されていてもよい。この場合には、使用者などは、空洞部２４３に指などを引っ掛けることで、ヘアキャッチャー２００を排水トラップ１００から容易に取り外すことができる。
【００４７】
図１０および図１１は、本発明者が実施した実験の結果の一例を例示する写真図である。  
なお、図１０は、毛髪等を除去する前の状態の一例を例示する写真図である。図１１は、毛髪等を除去した後の状態の一例を例示する写真図である。
【００４８】
図１０に表した写真図は、捕集された毛髪等３５０がボウル部２１０に乗った状態を表している。すなわち、図１０は、例えば図３（ｂ）に関して前述した状態と同様の状態を表している。この状態から、ヘアキャッチャー２００を取り外し反転させた状態は、図１１に表した如くである。このように、ヘアキャッチャー２００を反転させることで毛髪等３５０を容易に除去できることを確認することができた。
【００４９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ボウル部２１０、オーバーフロー流出部２２０、および係合部２３０などが備える各要素の形状、寸法、材質、配置などや水抜き孔２１３、縦リブ２２１、および横リブ２２３の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５０】
１００ 排水トラップ、  １１０ 排水トラップ本体、  １２０ 封水筒、  １２１ 上面、  ２００ ヘアキャッチャー、  ２１０ ボウル部、  ２１１ 底面部、  ２１３ 水抜き孔、  ２２０ オーバーフロー流出部、  ２２１ 縦リブ、  ２２３ 横リブ、  ２２５ 開口部、  ２３０ 係合部、  ２４０、２４０ａ 取っ手、  ２４１ 側面、  ２４３ 空洞部、  ２４５ 上面、  ３１０ 排水管、  ３５０ 毛髪等
【図１】
0005928984.tif 000002
【図２】
0005928984.tif 000003
【図３】
0005928984.tif 000004
【図４】
0005928984.tif 000005
【図５】
0005928984.tif 000006
【図６】
0005928984.tif 000007
【図７】
0005928984.tif 000008
【図８】
0005928984.tif 000009
【図９】
0005928984.tif 000010
【図１０】
0005928984.tif 000011
【図１１】
0005928984.tif 000012